(57)【要約】【課題】１次蓋の溶接によるキャニスタの胴部の変形を防止できるキャニスタ変形防止具を提供する。【解決手段】キャニスタを収納するキャスク７の上端全面を覆う環状体１０と、環状体１０の内縁部分に連なり且つキャスク７に収納したキャニスタの胴部１の上端部に嵌入可能な筒状体１１と、環状体１０の外縁部に連なり且つキャスク７の上端部外周面の所定箇所に当接可能な複数の係合部１２とを備え、胴部１の上端内側面を、筒状体１１、環状体１０、及び係合部１２によりキャスク７外側面に保持し、１次蓋５の溶接に起因した胴部１の変形を防止し、筒状体１１及び環状体１０によって、キャスク７内方側から外部への放射線の透過を抑止する。【選択図】        図１
2004309151.tif 000002
【特許請求の範囲】
【請求項１】
キャニスタを収納するキャスクの上端全面を覆う環状体と、該環状体の内縁部分に連なり且つキャスクに収納したキャニスタの上端部に嵌入可能な筒状体と、環状体の外縁部分に連なり且つキャスクの上端部外周面の所定箇所に当接可能な複数の係合部とを備えてなることを特徴とするキャニスタ変形防止具。
【請求項２】
キャニスタ変形防止具の環状体及び筒状体を周方向に複数に分割可能に構成した請求項１に記載のキャニスタ変形防止具。
【発明の詳細な説明】
【０００１】
【発明の属する技術分野】
本発明はキャニスタ変形防止具に関するものである。
【０００２】
【従来の技術】
近年、原子力発電所などで発生する使用済み燃料を、その崩壊熱が除去されるまでの間、図４及び図５に示すようなキャニスタを用いて乾式保管（風冷保管）することが検討されている。
【０００３】
このキャニスタは、使用済み燃料が収納される円筒状の胴部１と、該胴部１の下端部に順に取り付けられる下部遮蔽プラグ２及び底蓋３と、胴部１の上端部に順に取り付けられる上部遮蔽プラグ４、１次蓋５、及び２次蓋６とで構成されている。
【０００４】
使用済み燃料をキャニスタに収納する際には、下部遮蔽プラグ２及び底蓋３を取り付けた胴部１を、図５に示すように、底部が閉塞されたキャスク７内に挿入して、胴部１外周面とキャスク７内周面との間の空隙に純水８を充填し、次いで、当該空隙の上端寄り部分に、胴部１外周面とキャスク７内周面の全周にわたって密着するシール部材９を介在させる。
【０００５】
更に、上述したように胴部１などを内装した状態のキャスク７を、ホウ酸水を貯留したプール内に沈めて、胴部１内に使用済み燃料を挿入し、該使用済み燃料を上方から覆うように上部遮蔽プラグ４及び１次蓋５を胴部１に挿入する。
【０００６】
この後、胴部１などを内装した状態のキャスク７を前記のプールから引き上げ、１次蓋５の上面外周縁全周を、隅肉溶接によって胴部１内周面に固着する。
【０００７】
また、１次蓋５を上方から覆うように２次蓋６を胴部１に挿入し、２次蓋６の上面外周縁全周を隅肉溶接によって胴部１内周面に固着する。
【０００８】
このようにしてキャニスタを密閉したならば、キャニスタを上方から覆うように上蓋（図示せず）をキャスク７の上端に締結し、使用済み燃料が挿入されているキャニスタをキャスク７とともに保管施設へ一体的に搬送する。
【０００９】
【発明が解決しようとする課題】
しかしながら、図４及び図５に示すキャニスタでは、胴部１に１次蓋５を溶接すると、胴部１が溶接歪みによって中心側へ引っ張られるように変形し、これにより、胴部１への２次蓋６の挿入が困難になったり、胴部１内周と２次蓋６外縁との間隔が溶接に適した状態を保てなくなることが懸念される。
【００１０】
本発明は上述した実情に鑑みてなしたもので、１次蓋の溶接によるキャニスタの胴部の変形を防止できるキャニスタ変形防止具を提供することを目的としている。
【００１１】
【課題を解決するための手段】
上記目的を達成するため、本発明の請求項１に記載のキャニスタ変形防止具では、キャニスタを収納するキャスクの上端全面を覆う環状体と、該環状体の内縁部分に連なり且つキャスクに収納したキャニスタの上端部に嵌入可能な筒状体と、環状体の外縁部分に連なり且つキャスクの上端部外周面の所定箇所に当接可能な複数の係合部とを備えている。
【００１２】
また、本発明の請求項２に記載のキャニスタ変形防止具では、環状体及び筒状体を周方向に複数に分割可能に構成している。
【００１３】
本発明の請求項１あるいは請求項２に記載のキャニスタ変形防止具のいずれにおいても、キャニスタの胴部の上端内側面を、筒状体、環状体、及び係合部によりキャスク外側面に保持し、１次蓋の溶接に起因したキャニスタの胴部の変形を防止し、また、筒状体、及び環状体によって、キャスク内方側から外部への放射線の透過を抑止する。
【００１４】
本発明の請求項２に記載のキャニスタ変形防止具においては、キャニスタに嵌入する筒状体とキャスクの上端面を覆う環状体を周方向に分割して、キャニスタ、及びキャスクに対する着脱を容易にする。
【００１５】
【発明の実施の形態】
以下、本発明の実施の形態を、図示例とともに説明する。
【００１６】
図１乃至図３は本発明のキャニスタ変形防止具の実施の形態の一例を示すものであり、図中、図４または図５と同一の符号を付したものは同一物を表す。
【００１７】
このキャニスタ変形防止具は、キャスク７の上端全面を覆う環状体１０と、該環状体１０の内縁部分に連なり且つキャスク７に収納したキャニスタの胴部１の上端部に嵌入可能な筒状体１１と、環状体１０の外縁部に連なり且つキャスク７の上端部外周面の所定箇所に対峙する複数の係合部１２とを備えている。
【００１８】
環状体１０及び筒状体１１は、図２に示すように、周方向に３つの個体１７に分割されており、キャスク７の上端開口部に嵌入される蓋体（図示せず）を締結するために、当該キャスク７上端面に螺設されているタップ孔１３を利用して環状体１０をキャスク７に締結できるように、各個体１７にボルト締結用の孔１６を穿設している。
【００１９】
また、放射線がキャスク７の内方から個体１７の間を経て直線的に外方へ放出されることを防止するため、図３に示すように、個体１７の一端部に、その上面に連なって環状体１０周方向へ突出する嵌合部１４を形成し、個体１７の他端部に、その下面に連なって環状体１０周方向へ突出する嵌合部１５を形成して、両嵌合部１４，１５が重なり合うようにしている。
【００２０】
係合部１２は、各個体１７の外縁部分に２つずつ固設されている。
【００２１】
キャニスタの胴部１に１次蓋５を溶接するのにあたっては、環状体１０を構成する各個体１７を、キャスク７の上端面に載置し且つキャスク７に対してボルト締結し、キャニスタの胴部１の上端内側面を、筒状体１１、環状体１０及び係合部１２によりキャスク７外側面に保持し、１次蓋５の溶接に起因したキャニスタの胴部１の変形を防止する。
【００２２】
更に、筒状体１１、及び環状体１０により、キャスク７とキャニスタの胴部１との間の空隙を上方から覆って、キャスク７内方側から外部への放射線の透過を抑止する。
【００２３】
このように、図１乃至図３に示す本発明のキャニスタ変形防止具においては、キャニスタの胴部１に対する１次蓋５の溶接に起因するキャニスタの胴部１の変形を防止することができるとともに、キャスク７内方側から外部への放射線の透過を抑止できる。
【００２４】
また、環状体１０と筒状体１１とを、周方向に３つの個体１７に分割しているので、これらをキャスク７に対して容易に着脱することができる。
【００２５】
なお、本発明のキャニスタ変形防止具は上述した実施の形態のみに限定されるものではなく、本発明の要旨を逸脱しない範囲内において種々変更を加え得ることは勿論である。
【００２６】
【発明の効果】
以上述べたように、本発明のキャニスタ変形防止具によれば、下記のような種々の優れた効果を奏し得る。
【００２７】
（１）本発明の請求項１あるいは請求項２に記載のキャニスタ変形防止具のいずれにおいても、キャニスタの胴部の上端内側面を、筒状体、環状体、及び係合部によりキャスク外側面に保持するので、１次蓋の溶接に起因したキャニスタの胴部の変形を防止でき、また、筒状体、及び環状体により、キャスク内方側から外部への放射線の透過を抑止することができる。
【００２８】
（２）本発明の請求項２に記載のキャニスタ変形防止具においては、キャニスタに嵌入する筒状体とキャスクの上端面を覆う環状体を周方向に分割したので、キャニスタ、及びキャスクに対するキャニスタ変形防止具の着脱を容易に行なうことが可能となる。
【図面の簡単な説明】
【図１】本発明のキャニスタ変形防止具の実施の形態の一例の断面図である。
【図２】図１に関連する平面図である。
【図３】図２のＩＩＩ−ＩＩＩ矢視図である。
【図４】従来のキャニスタの一例の斜視図である。
【図５】図４に関連するキャニスタをキャスクへ装入した状態の断面図である。
【符号の説明】
７          キャスク
１０          環状体
１１          筒状体
１２          係合部
【図１】
2004309151.tif 000003
【図２】
2004309151.tif 000004
【図３】
2004309151.tif 000005
【図４】
2004309151.tif 000006
【図５】
2004309151.tif 000007